(57)【特許請求の範囲】
【請求項１】
機体内に有価媒体を投入するための投入部と、
前記投入部により機体内に投入された有価媒体を搬送する搬送部と、
前記搬送部により搬送される有価媒体の識別を行う識別部と、
前記識別部により識別が行われた有価媒体が前記搬送部により送られる複数の集積部と、
各前記集積部に集積されるべき有価媒体の枚数および種類に係る情報を設定情報として記憶する記憶部と、
前記記憶部に記憶されている前記設定情報に基づいて前記識別部により識別された有価媒体を各前記集積部に振り分けるよう前記搬送部の制御を行う制御部と、
有価媒体を収納するための収納部と、
を備え、
複数の前記集積部のうち少なくとも一つの前記集積部は、前記収納部に収納される前の有価媒体を一時的に保留する入金一時保留部からなり、
各前記集積部には、当該集積部へのアクセスを規制するための規制部がそれぞれ設けられており、
前記制御部は、前記記憶部に記憶されている前記設定情報における有価媒体の枚数および種類に相当する有価媒体が各前記集積部に集積されると各前記規制部による各前記集積部へのアクセスの規制を解除するよう各前記規制部を制御し、
前記制御部において、各前記規制部により全ての前記集積部へのアクセスを規制するか、各前記規制部により全ての前記集積部へのアクセスを規制しないかの設定を行うことができるようになっている、有価媒体処理装置。
【請求項２】
各前記集積部に対応して表示部が筐体の前面に設けられている、請求項１記載の有価媒体処理装置。
【請求項３】
前記制御部は、前記記憶部に記憶されている前記設定情報における有価媒体の枚数および種類に相当する有価媒体が前記集積部に集積されると当該集積部に対応する前記表示部における表示態様を変化させるよう当該表示部を制御する、請求項２記載の有価媒体処理装置。
【請求項４】
前記制御部は、前記記憶部に記憶されている前記設定情報における有価媒体の枚数および種類に相当する有価媒体が前記集積部に集積されていない状態で当該集積部から有価媒体が取り出されるとこの集積部に対応する前記表示部における表示態様を変化させるよう当該表示部を制御する、請求項２または３記載の有価媒体処理装置。
【請求項５】
操作者に対して報知を行うための報知部を更に備え、
前記制御部は、前記記憶部に記憶されている前記設定情報における有価媒体の枚数および種類に相当する有価媒体が前記集積部に集積されていない状態で当該集積部から有価媒体が取り出されると前記報知部により操作者に対して報知を行うよう当該報知部を制御する、請求項１乃至４のいずれか一項に記載の有価媒体処理装置。
【請求項６】
前記制御部は、前記規制部によるアクセスの規制が解除された前記集積部へ有価媒体を送らないとともに、前記規制部によるアクセスの規制が解除された後に当該規制部により再びアクセスが規制された前記集積部へ有価媒体を送ることができるよう、前記搬送部を制御する、請求項１乃至５のいずれか一項に記載の有価媒体処理装置。
【請求項７】
前記規制部による前記集積部へのアクセスの規制を解除するタイミングを前記集積部毎に設定することができるようになっている、請求項１乃至６のいずれか一項に記載の有価媒体処理装置。
【請求項８】
前記規制部による複数の前記集積部へのアクセスの規制を同時に解除することができるようになっている、請求項７記載の有価媒体処理装置。
【請求項９】
前記規制部による前記集積部へのアクセスの規制の解除を前記集積部毎に順番に行うようにすることができるようになっている、請求項７記載の有価媒体処理装置。
【請求項１０】
機体内に有価媒体を投入するための投入部と、前記投入部により機体内に投入された有価媒体を搬送する搬送部と、前記搬送部により搬送される有価媒体の識別を行う識別部と、前記識別部により識別が行われた有価媒体が前記搬送部により送られる複数の集積部と、有価媒体を収納するための収納部とを有しており、複数の前記集積部のうち少なくとも一つの前記集積部は、前記収納部に収納される前の有価媒体を一時的に保留する入金一時保留部からなり、各前記集積部には、当該集積部へのアクセスを規制するための規制部がそれぞれ設けられている有価媒体処理装置と、
前記有価媒体処理装置と通信可能に接続され、当該有価媒体処理装置の管理を行う管理装置と、
を備えた有価媒体処理システムであって、
前記有価媒体処理装置の各前記集積部に集積されるべき有価媒体の枚数および種類に係る情報を設定情報として記憶する記憶部と、
前記記憶部に記憶されている前記設定情報に基づいて前記有価媒体処理装置において前記識別部により識別された有価媒体を各前記集積部に振り分けるよう前記搬送部の制御を行う制御部と、
を更に備え、
前記制御部は、前記記憶部に記憶されている前記設定情報における有価媒体の枚数および種類に相当する有価媒体が各前記集積部に集積されると各前記規制部による各前記集積部へのアクセスの規制を解除するよう各前記規制部を制御し、
前記制御部において、各前記規制部により全ての前記集積部へのアクセスを規制するか、各前記規制部により全ての前記集積部へのアクセスを規制しないかの設定を行うことができるようになっている、有価媒体処理システム。
【請求項１１】
各集積部に集積されるべき有価媒体の枚数および種類に係る情報を設定情報として記憶部に予め記憶させておく工程と、
各前記集積部へのアクセスを当該集積部にそれぞれ設けられた規制部により規制する工程と、
搬送部により有価媒体の搬送を行う工程と、
前記搬送部により搬送される有価媒体を識別部により識別する工程と、
前記記憶部に記憶されている前記設定情報に基づいて前記識別部により識別された有価媒体を前記搬送部により各前記集積部に振り分ける工程と、
複数の前記集積部のうち少なくとも一つの前記集積部に集積された有価媒体を、有価媒体を収納するための収納部に送ってこの収納部に収納させる工程と、
前記記憶部に記憶されている前記設定情報における有価媒体の枚数および種類に相当する有価媒体が各前記集積部に集積されると各前記規制部による各前記集積部へのアクセスの規制を解除する工程と、
を備え、
各前記規制部により全ての前記集積部へのアクセスを規制するか、各前記規制部により全ての前記集積部へのアクセスを規制しないかの設定を行うことができるようになっている、有価媒体処理方法。
【発明の詳細な説明】
【技術分野】
【０００１】
本発明は、紙幣、硬貨、商品券等の有価媒体の処理を行う有価媒体処理装置、このような有価媒体処理装置を備えた有価媒体処理システムおよびこのような有価媒体処理装置による有価媒体処理方法に関する。
【背景技術】
【０００２】
従来から、スーパーマーケット等の店舗等における売上金等の貨幣の入金処理を行う貨幣入金機として様々なタイプのものが知られている。例えば、特許文献１等に開示される貨幣入金機では、入金口へ投入された入金貨幣を１枚ずつ機体内に繰り出して識別部により識別し、入金可能な貨幣を一時保留部へ集積するとともに承認指令に基づいて収納庫へ収納し、一方、返却指令に基づいて一時保留部に集積された紙幣を機体外へ返却するようになっている。また、特許文献１等に開示される貨幣入金機には、集積された紙幣を機体外から取り出し可能な第１スタッカ部および第２スタッカ部が設けられており、これらの各スタッカ部は、入金処理時に発生するリジェクト紙幣の集積箇所として使用されるとともに、紙幣を所定枚数ずつ仕分けして整理するバッチ処理時の集積箇所としても使用されるようになっている。このような各スタッカ部は、その前方が開放されており、操作者は常に各スタッカ部にアクセス可能となっている。
【先行技術文献】
【特許文献】
【０００３】
【特許文献１】特許第３８６５９６８号
【発明の概要】
【発明が解決しようとする課題】
【０００４】
しかしながら、従来の貨幣入金機では、紙幣を所定枚数ずつ仕分けして整理するバッチ処理が行われる際に、概ね一つのスタッカ部が用いられるため、多数の紙幣のバッチ処理を行う際には作業効率が悪くなってしまうという問題がある。具体的には、一つのスタッカ部を用いてバッチ処理を行う場合には、所定枚数の紙幣がスタッカ部に集積されると当該スタッカ部への紙幣の搬送を停止させ、このスタッカ部から操作者により紙幣が手動で取り出された後に当該スタッカ部への紙幣の搬送を再開させるため、バッチ処理を行う際にスタッカ部への紙幣の搬送が度々中断されてしまう。なお、特許文献１等に開示されるような貨幣入金機ではスタッカ部が２つ設けられているが、一方のスタッカ部は、バッチ処理が行われる際にも識別不能紙幣等のリジェクト紙幣が集積されるリジェクト部として用いられるため、実際には一つのスタッカ部のみを用いてバッチ処理が行われるようになる。
【０００５】
また、従来の貨幣入金機では、バッチ動作の完了がわかりにくく、また、バッチ動作中でもスタッカ部にアクセスすることができるためバッチ動作中に操作者がスタッカ部に手を入れてしまいジャムや違算等のトラブルが生じるおそれがある。
【０００６】
本発明は、このような点を考慮してなされたものであり、複数の集積部を用いてバッチ処理を行うことができるため、バッチ処理の作業効率を向上させることができる有価媒体処理装置、有価媒体処理システムおよび有価媒体処理方法を提供することを目的とする。
【課題を解決するための手段】
【０００７】
本発明の有価媒体処理装置は、機体内に有価媒体を投入するための投入部と、前記投入部により機体内に投入された有価媒体を搬送する搬送部と、前記搬送部により搬送される有価媒体の識別を行う識別部と、前記識別部により識別が行われた有価媒体が前記搬送部により送られる複数の集積部と、各前記集積部に集積されるべき有価媒体の枚数および種類に係る情報を設定情報として記憶する記憶部と、前記記憶部に記憶されている前記設定情報に基づいて前記識別部により識別された有価媒体を各前記集積部に振り分けるよう前記搬送部の制御を行う制御部と、有価媒体を収納するための収納部と、を備え、複数の前記集積部のうち少なくとも一つの前記集積部は、前記収納部に収納される前の有価媒体を一時的に保留する入金一時保留部からなり、各前記集積部には、当該集積部へのアクセスを規制するための規制部がそれぞれ設けられており、前記制御部は、前記記憶部に記憶されている前記設定情報における有価媒体の枚数および種類に相当する有価媒体が各前記集積部に集積されると各前記規制部による各前記集積部へのアクセスの規制を解除するよう各前記規制部を制御し、前記制御部において、各前記規制部により全ての前記集積部へのアクセスを規制するか、各前記規制部により全ての前記集積部へのアクセスを規制しないかの設定を行うことができるようになっていることを特徴とする。
【０００８】
このような有価媒体処理装置によれば、複数の集積部を用いてバッチ処理を行うことができるため、バッチ処理の作業効率を向上させることができる。
【０００９】
本発明の有価媒体処理装置においては、各前記集積部に対応して表示部が筐体の前面に設けられていてもよい。
【００１０】
この場合、前記制御部は、前記記憶部に記憶されている前記設定情報における有価媒体の枚数および種類に相当する有価媒体が前記集積部に集積されると当該集積部に対応する前記表示部における表示態様を変化させるよう当該表示部を制御するようになっていてもよい。
【００１１】
また、前記制御部は、前記記憶部に記憶されている前記設定情報における有価媒体の枚数および種類に相当する有価媒体が前記集積部に集積されていない状態で当該集積部から有価媒体が取り出されるとこの集積部に対応する前記表示部における表示態様を変化させるよう当該表示部を制御するようになっていてもよい。
【００１２】
本発明の有価媒体処理装置は、操作者に対して報知を行うための報知部を更に備え、前記制御部は、前記記憶部に記憶されている前記設定情報における有価媒体の枚数および種類に相当する有価媒体が前記集積部に集積されていない状態で当該集積部から有価媒体が取り出されると前記報知部により操作者に対して報知を行うよう当該報知部を制御するようになっていてもよい。
【００１５】
また、前記制御部は、前記規制部によるアクセスの規制が解除された前記集積部へ有価媒体を送らないとともに、前記規制部によるアクセスの規制が解除された後に当該規制部により再びアクセスが規制された前記集積部へ有価媒体を送ることができるよう、前記搬送部を制御するようになっていてもよい。
【００１６】
また、前記規制部による前記集積部へのアクセスの規制を解除するタイミングを前記集積部毎に設定することができるようになっていてもよい。
【００１７】
この場合、前記規制部による複数の前記集積部へのアクセスの規制を同時に解除することができるようになっていてもよい。
【００１８】
あるいは、前記規制部による前記集積部へのアクセスの規制の解除を前記集積部毎に順番に行うようにすることができるようになっていてもよい。
【００２０】
本発明の有価媒体処理システムは、機体内に有価媒体を投入するための投入部と、前記投入部により機体内に投入された有価媒体を搬送する搬送部と、前記搬送部により搬送される有価媒体の識別を行う識別部と、前記識別部により識別が行われた有価媒体が前記搬送部により送られる複数の集積部と、有価媒体を収納するための収納部とを有しており、複数の前記集積部のうち少なくとも一つの前記集積部は、前記収納部に収納される前の有価媒体を一時的に保留する入金一時保留部からなり、各前記集積部には、当該集積部へのアクセスを規制するための規制部がそれぞれ設けられている有価媒体処理装置と、前記有価媒体処理装置と通信可能に接続され、当該有価媒体処理装置の管理を行う管理装置と、
を備えた有価媒体処理システムであって、前記有価媒体処理装置の各前記集積部に集積されるべき有価媒体の枚数および種類に係る情報を設定情報として記憶する記憶部と、前記記憶部に記憶されている前記設定情報に基づいて前記有価媒体処理装置において前記識別部により識別された有価媒体を各前記集積部に振り分けるよう前記搬送部の制御を行う制御部と、を更に備え、前記制御部は、前記記憶部に記憶されている前記設定情報における有価媒体の枚数および種類に相当する有価媒体が各前記集積部に集積されると各前記規制部による各前記集積部へのアクセスの規制を解除するよう各前記規制部を制御し、前記制御部において、各前記規制部により全ての前記集積部へのアクセスを規制するか、各前記規制部により全ての前記集積部へのアクセスを規制しないかの設定を行うことができるようになっていることを特徴とする。
【００２１】
このような有価媒体処理システムによれば、有価媒体処理装置において複数の集積部を用いてバッチ処理を行うことができるため、バッチ処理の作業効率を向上させることができる。
【００２２】
本発明の有価媒体処理方法は、各集積部に集積されるべき有価媒体の枚数および種類に係る情報を設定情報として記憶部に予め記憶させておく工程と、各前記集積部へのアクセスを当該集積部にそれぞれ設けられた規制部により規制する工程と、搬送部により有価媒体の搬送を行う工程と、前記搬送部により搬送される有価媒体を識別部により識別する工程と、前記記憶部に記憶されている前記設定情報に基づいて前記識別部により識別された有価媒体を前記搬送部により各前記集積部に振り分ける工程と、複数の前記集積部のうち少なくとも一つの前記集積部に集積された有価媒体を、有価媒体を収納するための収納部に送ってこの収納部に収納させる工程と、前記記憶部に記憶されている前記設定情報における有価媒体の枚数および種類に相当する有価媒体が各前記集積部に集積されると各前記規制部による各前記集積部へのアクセスの規制を解除する工程と、を備え、各前記規制部により全ての前記集積部へのアクセスを規制するか、各前記規制部により全ての前記集積部へのアクセスを規制しないかの設定を行うことができるようになっていることを特徴とする。
【００２３】
このような有価媒体処理方法によれば、複数の集積部を用いてバッチ処理を行うことができるため、バッチ処理の作業効率を向上させることができる。
【発明の効果】
【００２４】
本発明の有価媒体処理装置、有価媒体処理システムおよび有価媒体処理方法によれば、複数の集積部を用いてバッチ処理を行うことができるため、バッチ処理の作業効率を向上させることができる。
【図面の簡単な説明】
【００２５】
【図１】本発明の実施の形態における有価媒体処理装置の外観を示す斜視図である。
【図２】図１に示す有価媒体処理装置の内部構成を模式的に示す構成図である。
【図３】図１等に示す有価媒体処理装置の制御系の構成を示す機能ブロック図である。
【図４】図１等に示す有価媒体処理装置において複数の集積部を用いてバッチ処理を行う際に操作表示部に表示される画面を示す図である。
【図５】図１等に示す有価媒体処理装置において複数の集積部を用いてバッチ処理を行う際に操作表示部に表示される画面を示す図である。
【図６】図１等に示す有価媒体処理装置において複数の集積部を用いてバッチ処理を行う際に操作表示部に表示される画面を示す図である。
【図７】図１等に示す有価媒体処理装置において複数の集積部を用いてバッチ処理を行う際に操作表示部に表示される画面を示す図である。
【図８】図１等に示す有価媒体処理装置による紙葉類の入金処理方法を示すフローチャートである。
【発明を実施するための形態】
【００２６】
以下、図面を参照して本発明の実施の形態について説明する。図１乃至図８は、本実施の形態による有価媒体処理装置を示す図である。このうち、図１は、本実施の形態における有価媒体処理装置の外観を示す斜視図であり、図２は、図１に示す有価媒体処理装置の内部構成を模式的に示す構成図である。また、図３は、図１等に示す有価媒体処理装置の制御系の構成を示す機能ブロック図である。また、図４乃至図７は、それぞれ、図１等に示す有価媒体処理装置において複数の集積部を用いてバッチ処理を行う際に操作表示部に表示される画面を順に示す図である。また、図８は、図１等に示す有価媒体処理装置による紙葉類の入金処理方法を示すフローチャートである。
【００２７】
コンビニエンスストアやスーパーマーケット等の商業施設の店舗において、顧客が立ち入ることができるフロント領域には様々な商品が陳列された商品棚が設置されているとともに、このフロント領域の精算所にはレジ釣銭機が設置されている。顧客がこのような精算所で精算処理を行う際に、店員は、顧客から受け取った商品の代金としての貨幣や商品券をレジ釣銭機に入金したり、釣銭としての貨幣をレジ釣銭機から出金して顧客に返却したりするようになっている。また、このような店舗における顧客の立ち入りが禁止されたバックヤード領域（具体的には、例えば入金室）には、レジ釣銭機から回収された売上金としての貨幣を入金したり、レジ釣銭機用の釣銭準備金としての貨幣を出金したりする売上入金機が設置されている。また、このような売上入金機がショッピングセンターに設置される場合には、フロント領域の精算所に設置されたレジ釣銭機から回収された売上金としての貨幣に加えて、ショッピングセンター内の各テナントから持ち込まれた売上金としての貨幣が当該売上入金機に入金されるようになる。売上入金機に入金された売上金としての貨幣は、警送会社の収集担当者により回収されて当該警送会社の管理センターに運搬されるようになっている。本実施の形態では、このような売上入金機として、紙幣、硬貨、商品券等を含む有価媒体の処理を一つの装置で行うような有価媒体処理装置１が用いられるようになっている。このような有価媒体処理装置１の構成の概略について図１乃至図３を用いて説明する。
【００２８】
図１および図２に示すように、本実施の形態による有価媒体処理装置１は略直方体形状の筐体２を有しており、この筐体２内には、紙幣や商品券等の紙葉類の処理を行う紙葉類処理ユニットおよび硬貨の処理を行う硬貨処理ユニットがそれぞれ設けられている。また、有価媒体処理装置１の前面下部には下部扉４が設けられており、この下部扉４を開くことにより、筐体２内に収容された紙葉類収納部５３、５４（後述）や硬貨収納部１５２、１５３（後述）を筐体２の外部に引き出すことができるようになっている。
【００２９】
図１および図２に示すように、本実施の形態による有価媒体処理装置１は、紙葉類処理ユニットとして、紙幣や商品券を含む紙葉類が投入される投入部１０と、投入された紙葉類の各々を識別する識別部２０と、識別された紙葉類を搬送しながら４種別に分類する搬送分類機構３０と、分類された紙葉類が一時的に集積される４つの集積部４１〜４４と、４つの集積部４１〜４４の一部である２つの集積部４３、４４にそれぞれ対応して設けられた２つの紙葉類収納部５３、５４とを備えている。
【００３０】
投入部１０は、紙葉類ホッパとして構成されており、投入された紙葉類（紙幣／商品券）を受け入れて１枚ずつ繰出するようになっている。また、投入部１０には、当該投入部１０に残留する紙葉類を検知するための残留検知センサ（図示せず）が設けられている。
【００３１】
識別部２０は、イメージセンサを有しており、紙幣／商品券の区別の他、各紙幣の金種や、各商品券の種別等を識別するようになっている。商品券の種別の識別とは、当該店舗（およびそのチェーン店舗）で発行された商品券／他社で発行された商品券の区別や、当該店舗において処分可能な商品券／他の管理センターへの回収が必要な商品券の区別や、使用期限内の有効な商品券／使用期限切れの無効な商品券の区別等である。
【００３２】
搬送分類機構３０は、紙葉類を搬送する搬送ベルト機構３５と、搬送路を切り換えるための３つの切換機構３１〜３３と、これらの搬送ベルト機構３５や３つの切換機構３１〜３３を制御する紙葉類制御部３６とを有している。そして、紙葉類制御部３６が識別部２０による識別結果に基づいて３つの切換機構３１〜３３を制御することによって、識別された紙葉類をそれぞれ対応する４つの集積部４１〜４４に分類して搬送するようになっている。
【００３３】
第１の集積部４１は、リジェクト部として構成されており、リジェクト対象の紙葉類が集積されるようになっている。第１の集積部４１（リジェクト部）は、常時外部に開放されており、常時外部からリジェクト対象の紙葉類を取り出し可能となっている。
【００３４】
第２の集積部４２は、スタッカ部として構成されており、１００枚程度までの紙葉類が集積されるようになっている。第２の集積部４２（スタッカ部）は、シャッタ４２ｓを介して外部からアクセス可能となっており、シャッタ４２ｓの開放時に外部から紙葉類を取り出し可能となっている。より詳細には、シャッタ４２ｓは電磁ロック部（図示せず）によりロックされており、当該電磁ロック部によるロックが解除されたときに操作者はシャッタ４２ｓを開くことができるようになっている。もっとも、シャッタ４２ｓの設置を省略することも可能である。その場合は、第１の集積部４１（リジェクト部）と同様に、常時外部からアクセス可能（紙葉類を取り出し可能）となる。
【００３５】
第３の集積部４３および第４の集積部４４は、それぞれ入金一時保留部として構成されており、１００枚程度の紙葉類が集積されるようになっている。そして、有価媒体処理装置１の操作者による承認の後には、入金一時保留部としての各集積部４３、４４の底面が開放されるようになっており、これらの集積部４３、４４に一時保留されていた紙葉類が対応する紙葉類収納部５３、５４に送り込まれるようになっている。また、有価媒体処理装置１の操作者によって非承認とされた後には、各集積部４３、４４に一時保留されていた紙葉類を有価媒体処理装置１の前方から取り出し可能となっている。より詳細には、図１に示すように、第３の集積部４３には返却扉６が設けられており、当該返却扉６を開くことにより第３の集積部４３から紙葉類を筐体２の外部に取り出すことができるようになる。ここで、返却扉６は電磁ロック部（図示せず）によりロックされており、当該電磁ロック部によるロックが解除されたときに操作者は返却扉６を開いて第３の集積部４３から紙葉類を筐体２の外部に取り出すことができるようになる。また、図１および図２に示すように、第１の集積部４１、第２の集積部４２および第３の集積部４３は筐体２から横方向に回動可能な回動部８に設けられており、当該回動部８を筐体２から横方向に回動させてこの回動部８を第４の集積部４４の前方から退避させることによりこの第４の集積部４４から紙葉類を筐体２の外部に取り出すことができるようになる。ここで、回動部８は電磁ロック部（図示せず）によりロックされており、当該電磁ロック部によるロックが解除されたときに操作者は回動部８を筐体２から横方向に回動させて第４の集積部４４から紙葉類を筐体２の外部に取り出すことができるようになる。
【００３６】
また、各集積部４１〜４４には、それぞれ、これらの集積部４１〜４４に紙葉類が集積されているときに当該紙葉類を検知するための残留検知センサ（図示せず）が設けられている。
【００３７】
２つの紙葉類収納部５３、５４は、２つの集積部４３、４４に対応して設けられており、紙葉類を収納可能なカセットから構成されている。各カセットは、収納された紙葉類の回収条件を個別に設定可能となっており、設定された回収条件が満たされた場合にのみ有価媒体処理装置１の筐体２の外部からアクセス可能となっている。
【００３８】
例えば、２つの紙葉類収納部５３、５４の少なくとも一つに対して設定される回収条件は、有価媒体処理装置１が設置される店舗（の操作者）が紙葉類の回収を許可されているという条件とされ、２つの紙葉類収納部５３、５４の少なくとも他の一つに対して設定される回収条件は、紙葉類の回収業務を委託される警送業者が紙葉類の回収を許可されているという条件とされ得る。このように回収条件が設定されることにより、店舗自身による回収作業と、警送業者による回収作業とを、それぞれ個別に設定して管理することが可能である。
【００３９】
本実施の形態による有価媒体処理装置１では、各紙葉類収納部５３、５４への有価媒体処理装置１の筐体２の外側からのアクセスを制限する構成として、図２および図３に示すように、公知のロック機構６３、６４と、当該ロック機構６３、６４を制御するロック制御部６５とが用いられるようになっている。ロック制御部６５には、ターミナル７０に内蔵された全体制御部７３を介してＩＣカードリーダ７１が接続されており、店舗所属の操作者が保有するＩＣカードをＩＣカードリーダ７１が読み取ったときに、店舗が紙葉類の回収を許可されていると判断し、そのような回収条件が設定されている紙葉類収納部５３、５４に対するアクセスが解放される（すなわち、ロックが解放されて、紙葉類収納部５３、５４が筐体２の外部へ取出し可能となる）。一方、警送業者所属の操作者が保有するＩＣカードをＩＣカードリーダ７１が読み取ったときに、当該警送業者が紙葉類の回収を許可されていると判断し、そのような回収条件が設定されている紙葉類収納部５３、５４に対するアクセスが解放される（すなわち、ロックが解放されて、紙葉類収納部５３、５４が筐体２の外部へ取出し可能となる）。そして、ロック機構６３、６４によるロックが解除された状態で下部扉４を開くことにより、店舗所属の操作者や警送業者所属の操作者は紙葉類収納部５３、５４を筐体２の外部に取り出すことができるようになる。
【００４０】
ターミナル７０には、全体制御部７３およびＩＣカードリーダ７１に加えて、タッチパネル等で構成された操作表示部７２が設けられている。操作表示部７２は、操作ガイダンスや入金処理時の取引データ等を表示するとともに、操作者の指示入力を受け付けるようになっている。
【００４１】
また、本実施の形態による有価媒体処理装置１の搬送分類機構３０において、紙葉類の搬送方向における識別部２０の下流側には、商品券を無効化するための消し込みの印刷処理を行う印刷部７５が設けられている。印刷部７５は例えばインクジェットプリンタから構成されており、様々な印刷パターンにより商品券に対して消し込みの印刷処理を行うことができるようになっている。印刷部７５は、有価媒体処理装置１の操作面に近接する位置に配置されており、図示されないカバーを開放することにより、インクカートリッジの交換を容易に行うことができる。
【００４２】
また、本実施の形態による有価媒体処理装置１は、硬貨処理ユニットとして、硬貨が投入される硬貨投入部１１０と、投入された硬貨の各々を識別する硬貨識別部１２０と、識別された硬貨を搬送しながら３種別に分類する硬貨搬送分類機構１３０と、分類された硬貨が一時的に集積される３つの硬貨集積部１４１〜１４３と、３つの硬貨集積部１４１〜１４３の一部である２つの硬貨集積部１４２、１４３にそれぞれ対応して設けられた２つの硬貨収納部１５２、１５３とを備えている。
【００４３】
硬貨投入部１１０は硬貨ホッパとして構成されており、投入された硬貨を受け入れて１枚ずつ繰出するようになっている。
【００４４】
硬貨識別部１２０は磁気センサ等を有しており、硬貨の真偽の区別の他、各硬貨の金種を識別するようになっている。
【００４５】
硬貨搬送分類機構１３０は、硬貨制御部１３６によって制御されるソレノイド付き選別部材を有する強制選別機構によって構成されており、選別された硬貨を３つの硬貨集積部１４１〜１４３に分類して搬送するようになっている。ここで、硬貨搬送分類機構１３０は、振り分ける硬貨の種別を任意に設定できるようになっている。
【００４６】
第１の硬貨集積部１４１は、リジェクト部として構成されており、リジェクト対象の硬貨が集積されるようになっている。第１の硬貨集積部１４１（リジェクト部）に集積された硬貨は、常時外部から取り出し可能となっている。
【００４７】
第２の硬貨集積部１４２および第３の硬貨集積部１４３は、それぞれ入金一時保留部として構成されており、それぞれに１００枚程度までの硬貨が集積されるようになっている。そして、有価媒体処理装置１の操作者による承認の後には、入金一時保留部の枠体が移動されるようになっており、一時保留されていた硬貨が対応する硬貨収納部１５２、１５３に送り込まれるようになっている。また、有価媒体処理装置１の操作者によって非承認とされた後には、入金一時保留部の底板が退避し、一時保留されていた硬貨が当該入金一時保留部の下方の硬貨返却箱１４４、１４５に送り込まれ、当該硬貨返却箱１４４、１４５を介して硬貨が取り出し可能となっている。
【００４８】
２つの硬貨収納部１５２、１５３は、２つの硬貨集積部１４２、１４３に対応して設けられており、硬貨を収納可能なカセットから構成されている。各硬貨カセットは、収納された硬貨の回収条件を個別に設定可能となっており、設定された回収条件が満たされた場合にのみ有価媒体処理装置１の筐体２の外側からアクセス可能となっている。
【００４９】
例えば、２つの硬貨収納部１５２、１５３の少なくとも一つに対して設定される回収条件は、有価媒体処理装置１が設置される店舗（の操作者）が硬貨の回収を許可されているという条件とされ、２つの硬貨収納部１５２、１５３の少なくとも他の一つに対して設定される回収条件は、硬貨の回収業務を委託される警送業者が硬貨の回収を許可されているという条件とされ得る。このように回収条件が設定されることにより、店舗自身による回収作業と、警送業者による回収作業とを、それぞれ個別に設定して管理することが可能である。
【００５０】
各硬貨収納部１５２、１５３への有価媒体処理装置１の筐体２の外側からのアクセスを制限する構成として、図２および図３に示すように、公知のロック機構１６２、１６３と、当該ロック機構１６２、１６３を制御するロック制御部６５とが用いられるようになっている。前述のように、ロック制御部６５にはＩＣカードリーダ７１が接続されており、店舗所属の操作者が所有するＩＣカードをＩＣカードリーダ７１が読み取ったときに、店舗が硬貨の回収を許可されていると判断し、そのような回収条件が設定されている硬貨収納部１５２、１５３に対するアクセスが解放される（すなわち、ロックが解放されて、硬貨収納部１５２、１５３を筐体２の外部へ取出し可能となる）。一方、警送業者所属の操作者が所有するＩＣカードをＩＣカードリーダ７１が読み取ったときに、警送業者が硬貨の回収を許可されていると判断し、そのような回収条件が設定されている硬貨収納部１５２、１５３に対するアクセスが解放される（すなわち、ロックが解放されて、硬貨収納部１５２、１５３を筐体２の外部へ取出し可能となる）。そして、ロック機構１６２、１６３によるロックが解除された状態で下部扉４を開くことにより、店舗所属の操作者や警送業者所属の操作者は硬貨収納部１５２、１５３を筐体２の外部に取り出すことができるようになる。
【００５１】
本実施の形態による有価媒体処理装置１では、下部ユニットの引出操作に対するロック機構１６５と、当該ロック機構１６５を制御するロック制御部６５とが用いられている。すなわち、ロック制御部６５は、５つのロック機構６３、６４、１６２、１６３、１６５を制御するようになっている。
【００５２】
また、本実施の形態による有価媒体処理装置１には、識別された紙葉類ないし硬貨の各集積部４１〜４４ないし各硬貨集積部１４１〜１４３への分類条件（分類パターン）を記憶しておく記憶部７４がターミナル７０内に設けられている。記憶部７４に記憶された分類条件は、搬送分類機構３０による紙葉類の搬送ないし分類を制御するための紙葉類制御部３６、および硬貨搬送分類機構１３０による硬貨の搬送ないし分類を制御するための硬貨制御部１３６に適時に読み出されるようになっている。
【００５３】
また、記憶部７４は、各紙葉類収納部５３、５４および各硬貨収納部１５２、１５３に対して設定される回収条件も記憶するようになっており、各紙葉類収納部５３、５４および各硬貨収納部１５２、１５３への有価媒体処理装置１の筐体２の外側からのアクセスの制限／許容を判別して制御するためにロック制御部６５に適時に読み出されるようになっている。
【００５４】
さらに、記憶部７４は、識別部２０による紙葉類の識別のための詳細情報（例えば、識別処理に用いる辞書データ等）を記憶しており、識別部２０に適時に読み出されるようになっている。
【００５５】
また、本実施の形態による有価媒体処理装置１には、入金処理時の取引データや、締め時／回収時等における集計データをプリントアウトするプリンタ装置９５が設けられている。
【００５６】
さらに、本実施の形態による有価媒体処理装置１には、外部機器（管理コンピュータ）等と通信可能であり、識別情報や分類条件（分類パターン）を取得したり、入金結果等を送信可能な通信インターフェース部９６が設けられている。
【００５７】
また、図１および図３に示すように、有価媒体処理装置１の筐体２の前面において、投入部１０および各集積部４１、４２、４３に対応してＬＥＤ等の状態表示部８０、８２、８４、８６が設けられている。ＬＥＤ等の状態表示部８０、８２、８４、８６は、投入部１０や各集積部４１、４２、４３における紙葉類の集積状態に応じて表示態様が変化するようになっている。このようなＬＥＤ等の状態表示部８０、８２、８４、８６における表示態様の詳細については後述する。
【００５８】
次に、このような構成からなる有価媒体処理装置１による紙幣や硬貨、商品券等の有価媒体の処理方法、具体的には有価媒体の入金方法について以下に説明する。なお、以下に示すような有価媒体処理装置１の動作は、全体制御部７３が紙葉類制御部３６や硬貨制御部１３６を介して有価媒体処理装置１の各構成要素の制御を行うことにより行われるようになっている。
【００５９】
有価媒体処理装置１の待機状態において、操作表示部７２には図４に示すような待機画面が表示されている。具体的には、操作表示部７２には、操作者が携帯するＩＣカードを操作表示部７２の右側に配置されたＩＣカードリーダ７１により読み取らせることを操作者に指示するメッセージおよび画像が表示されている。また、本実施の形態の有価媒体処理装置１において各紙葉類収納部５３、５４に商品券が収納されるようになっている場合には、操作表示部７２の待機画面において、各紙葉類収納部５３、５４における商品券の収納状況（具体的には、商品券の収納枚数）が表示されるようになっている。また、操作表示部７２の待機画面において、「番号を手入力する」というボタンも表示されており、操作者がこのボタンを押下すると、操作表示部７２の表示画面が切り替わって手入力画面となり、操作者は操作表示部７２において有価媒体処理装置１に入金される有価媒体の回収元の店舗の店番号やレジ釣銭機のレジ番号を手入力することができるようになる。また、操作者は操作表示部７２の手入力画面において店番号やレジ番号を手入力する際に、操作表示部７２において操作者ＩＤやパスワードも手入力することができるようになっていてもよい。図４に示すような待機画面が操作表示部７２に表示されている状態で操作者が携帯するＩＣカードをＩＣカードリーダ７１により読み取らせることにより、有価媒体処理装置１において有価媒体の入金処理を行うことができるようになる。このような有価媒体の入金処理の詳細については後述する。
【００６０】
また、操作表示部７２の待機画面において、「作業メニュー」というボタンが操作者により押下されると、操作表示部７２の表示画面が図５に示すような作業メニュー画面に切り替わるようになっている。このような作業メニュー画面において左側の領域に設けられた「作業メニュー」の複数の候補のうち「整理」欄を選択すると画面中央には「紙幣バッチ」「選別」「別計算」の各欄が表示され、これらの各欄のうち「紙幣バッチ」欄を選択するとバッチ処理の設定を行うことができるようになる。具体的には、図５に示すような作業メニュー画面において「紙幣バッチ」欄が選択されると、操作表示部７２の表示画面が図６に示すようなバッチ処理の設定画面に切り替わるようになる。
【００６１】
図６に示すような操作表示部７２におけるバッチ処理の設定画面において、バッチ処理におけるバッチ金種と枚数を設定することができるようになっている。具体的には、バッチ処理においてスタッカ部としての第２の集積部４２および入金一時保留部としての第３の集積部４３が用いられるようになっている場合には、図６に示すようなバッチ処理の設定画面において、第２の集積部４２および第３の集積部４３にそれぞれ集積される紙葉類（例えば、紙幣）の金種および枚数を設定することができるようになる。ここで、図６における「バッチ設定１」は、スタッカ部としての第２の集積部４２における集積紙葉類の金種および枚数の設定内容に対応しており、「バッチ設定２」は、入金一時保留部としての第３の集積部４３における集積紙葉類の金種および枚数の設定内容に対応している。すなわち、図６に示す画面では、バッチ処理において第２の集積部４２に一万円札を１００枚集積させるとともに第３の集積部４３に千円札を１００枚集積させることが設定されている。図６の画面に示すようなバッチ処理の設定が行われた場合には、投入部１０に投入された紙葉類が有価媒体処理装置１の機体内に繰り出されて識別部２０により識別されたときに、識別部２０により識別された紙葉類が一万円札である場合にはこの一万円札は第２の集積部４２に１００枚まで集積され、また、識別部２０により識別された紙葉類が千円札である場合にはこの千円札は第３の集積部４３に１００枚まで集積され、それ以外の金種の紙幣や紙幣以外の紙葉類（例えば、商品券）は、リジェクト部としての第１の集積部４１や入金一時保留部としての第４の集積部４４に集積されるようになる。そして、第２の集積部４２や第３の集積部４３に集積された一万円札や千円札の枚数が１００枚に達したときには、これ以上第２の集積部４２や第３の集積部４３に一万円札や千円札が送られなくなる。この場合には、操作者が第２の集積部４２や第３の集積部４３から一万円札や千円札を筐体２の外部に取り出すことにより、第２の集積部４２や第３の集積部４３に一万円札や千円札が再び送られるようになる。このようなバッチ処理の詳細については後述する。
【００６２】
次に、本実施の形態の有価媒体処理装置１による紙葉類の入金処理方法について図８に示すフローチャートを用いて説明する。
【００６３】
本実施の形態の有価媒体処理装置１において、図４に示すような待機画面が操作表示部７２に表示されている状態で操作者が携帯するＩＣカードをＩＣカードリーダ７１により読み取らせることにより操作者の権限の認証を行った後、操作者が投入部１０に紙葉類を投入すると（ＳＴＥＰ１の「ＹＥＳ」）、投入部１０から紙葉類が１枚ずつ有価媒体処理装置１の機体内に繰り出され（ＳＴＥＰ２）、搬送分類機構３０により搬送される紙葉類は識別部２０により識別される（ＳＴＥＰ３）。ここで、識別部２０により識別された紙葉類が商品券である場合には、当該商品券の計数データ（種類別の入金枚数、合計金額等）が加算される（ＳＴＥＰ５）。また、識別部２０により識別された紙葉類が商品券である場合には、印刷部７５により当該商品券に対して消し込みの印刷処理が行われる（ＳＴＥＰ６）。なお、識別部２０により識別された商品券が有効期限切れ券、もぎり券、受け付け対象外券等であり印刷対象外条件に一致する場合には、商品券に対して消し込みの印刷処理は行われない。また、印刷部７５を通過した商品券は、記憶部７４に記憶された搬送収納先に係る情報に基づいて、対応する集積部４１〜４４へ振り分けられる（ＳＴＥＰ８）。
【００６４】
一方、識別部２０により識別された紙葉類が紙幣である場合には、当該紙幣の計数データ（金種別の入金枚数、合計金額等）が加算される（ＳＴＥＰ７）。なお、識別部２０により識別された紙葉類の種類が紙幣であるときには、印刷部７５により当該紙幣に対して消し込みの印刷処理は行われない。また、識別部２０により識別された紙幣は、記憶部７４に記憶された搬送収納先に係る情報に基づいて、対応する集積部４１〜４４へ振り分けられる（ＳＴＥＰ８）。また、識別部２０により識別された紙葉類が正常な紙幣や商品券ではないリジェクト券である場合には、当該リジェクト券の計数データは加算されることなく、また、印刷部７５により当該リジェクト券に対して消し込みの印刷処理が行われることなく、リジェクト部としての集積部４１に送られるようになる（ＳＴＥＰ９）。
【００６５】
投入部１０に紙葉類が残っている場合には（ＳＴＥＰ１０の「ＹＥＳ」）、図６のＳＴＥＰ２〜ＳＴＥＰ９に示す動作が繰り返し行われるようになる。一方、投入部１０に投入された紙葉類が全て有価媒体処理装置１の機体内に繰り出された後（ＳＴＥＰ１０の「ＮＯ」）、操作者によって操作表示部７２により承認入力が行われると（ＳＴＥＰ１１の「ＹＥＳ」）、集積部４３、４４に一時保留されていた紙葉類が対応する紙葉類収納部５３、５４に送り込まれて収納される（ＳＴＥＰ１２）。一方、操作者によって操作表示部７２により承認入力が行われず代わりに返却入力が行われると（ＳＴＥＰ１１の「ＮＯ」）、各集積部４３、４４に一時保留されていた紙葉類を有価媒体処理装置１の前方から取り出し可能となる（ＳＴＥＰ１３）。このようにして、有価媒体処理装置１における一連の紙葉類の入金処理が完了する。
【００６６】
次に、有価媒体処理装置１においてバッチ処理を行う際の動作の詳細について説明する。本実施の形態では、有価媒体処理装置１においてバッチ処理が行われる際に、概して第２の集積部４２および第３の集積部４３からなる２つの集積部が用いられるようになっている。また、有価媒体処理装置１においてバッチ処理を行うにあたり、記憶部７４には、複数の集積部（例えば、第２の集積部４２および第３の集積部４３）に集積されるべき紙幣等の有価媒体の枚数および種類に係る情報が設定情報として記憶されるようになっており、全体制御部７３は、記憶部７４に記憶されている設定情報に基づいて識別部２０により識別された有価媒体を各集積部４１〜４４に振り分けるよう搬送分類機構３０の制御を行うようになっている。また、本実施の形態では、有価媒体処理装置１においてバッチ処理が行われる際に、電磁ロック部によりシャッタ４２ｓや返却扉６がロックされるような運用が行われる場合と、電磁ロック部によりシャッタ４２ｓや返却扉６がロックされないような運用が行われる場合とがある。以下の説明では、最初に、電磁ロック部によりシャッタ４２ｓや返却扉６がロックされないような運用が行われる場合について述べる。
【００６７】
操作表示部７２の表示画面がバッチ処理の設定画面に切り替えられたときに、図６に示すようなバッチ処理の設定が行われた場合には、すなわち、第２の集積部４２に一万円札を１００枚集積させるとともに第３の集積部４３に千円札を１００枚集積させるようなバッチ処理の設定が行われた場合には、投入部１０に投入された紙葉類が有価媒体処理装置１の機体内に繰り出されて識別部２０により識別されたときに、識別部２０により識別された紙葉類が一万円札であるときにはこの一万円札は第２の集積部４２に１００枚まで集積され、また、識別部２０により識別された紙葉類が千円札であるときにはこの千円札は第３の集積部４３に１００枚まで集積され、それ以外の金種の紙幣や紙幣以外の紙葉類（例えば、商品券）は、リジェクト部としての第１の集積部４１や入金一時保留部としての第４の集積部４４に集積されるようになる。そして、第２の集積部４２や第３の集積部４３に集積された一万円札や千円札の枚数が１００枚に達したときには、投入部１０から有価媒体処理装置１の機体内への紙葉類の繰出動作が一旦停止され、これ以上第２の集積部４２や第３の集積部４３に一万円札や千円札が送られなくなる。本実施の形態では、このようなバッチ処理が行われる際に、操作表示部７２には図７に示すようなバッチ処理画面が表示されるようになり、操作者は第２の集積部４２や第３の集積部４３に集積された一万円札や千円札の枚数、ならびに一万円札や千円札についてのバッチ回数（すなわち、第２の集積部４２や第３の集積部４３に集積された一万円札や千円札の枚数が１００枚に達した回数）を操作表示部７２により確認することができるようになる。
【００６８】
なお、本実施の形態では、第２の集積部４２や第３の集積部４３に集積された一万円札や千円札の枚数が１００枚に達したときには、これらの第２の集積部４２や第３の集積部４３に対応する状態表示部８４、８６が青色に点灯するようになる。このことにより、操作者は第２の集積部４２や第３の集積部４３から一万円札や千円札の束を筐体２の外部に取り出す必要があることに気づくようになる。なお、第２の集積部４２や第３の集積部４３に集積された一万円札や千円札の枚数が１００枚に達したときに、操作表示部７２において第２の集積部４２や第３の集積部４３に集積された一万円札や千円札を筐体２の外部に取り出す必要がある旨のメッセージが表示されたり、図示しないスピーカー等によって第２の集積部４２や第３の集積部４３に集積された一万円札や千円札を筐体２の外部に取り出す必要がある旨の音声ガイダンスが発せられたりすることにより、操作者に対して報知が行われるようになっていてもよい。そして、操作者が第２の集積部４２や第３の集積部４３から一万円札や千円札の束を筐体２の外部に取り出すと、これらの第２の集積部４２や第３の集積部４３に対応する状態表示部８４、８６が消灯する。その後、投入部１０から有価媒体処理装置１の機体内への紙葉類の繰出動作が自動で再開され、紙幣が取り出された第２の集積部４２や第３の集積部４３に一万円札や千円札が再び送られるようになる。なお、第２の集積部４２や第３の集積部４３から一万円札や千円札の束が筐体２の外部に取り出された後、自動的に投入部１０から筐体２の内部に紙幣が繰り出されるようになる代わりに、操作表示部７２における「計数スタート」ボタンの押下待ちの待機状態となり、操作者が操作表示部７２においてこの「計数スタート」ボタンを押下すると投入部１０から筐体２の内部への紙幣の繰出動作が再開されるようになっていてもよい。
【００６９】
また、本実施の形態では、第２の集積部４２や第３の集積部４３に集積された一万円札や千円札の枚数が１００枚に達する前にこれらの第２の集積部４２や第３の集積部４３から一万円札や千円札の束が取り出された場合には、紙幣が取り出された第２の集積部４２や第３の集積部４３に対応する状態表示部８４、８６が赤色に点滅するようになる。このことにより、操作者は第２の集積部４２や第３の集積部４３から誤って紙幣を取り出してしまったことに気づくようになる。なお、第２の集積部４２や第３の集積部４３に集積された一万円札や千円札の枚数が１００枚に達する前にこれらの第２の集積部４２や第３の集積部４３から一万円札や千円札の束が取り出されたときに、操作表示部７２において第２の集積部４２や第３の集積部４３から誤って紙幣が取り出された旨のメッセージが表示されたり、図示しないスピーカー等によって第２の集積部４２や第３の集積部４３から誤って紙幣が取り出された旨の音声ガイダンスが発せられたりすることにより、操作者に対して報知が行われるようになっていてもよい。そして、操作者が第２の集積部４２や第３の集積部４３に一万円札や千円札を戻すと、これらの第２の集積部４２や第３の集積部４３に対応する状態表示部８４、８６が消灯する。
【００７０】
また、本実施の形態では、投入部１０に投入された紙葉類が有価媒体処理装置１の機体内に繰り出されて識別部２０により識別されたときに、識別部２０により識別された紙葉類が一万円札や千円札以外の金種の紙幣や紙幣以外の紙葉類（例えば、商品券）である場合は、当該紙葉類はリジェクト部としての第１の集積部４１や入金一時保留部としての第４の集積部４４に集積されるようになるが、リジェクト部としての第１の集積部４１に紙葉類が送られるとこの第１の集積部４１に対応する状態表示部８２が赤色に点滅するようになる。このことにより、操作者はリジェクト部としての第１の集積部４１から紙葉類を取り出す必要があることに気づくようになる。
【００７１】
また、本実施の形態では、投入部１０に投入された紙葉類が有価媒体処理装置１の機体内に繰り出される際に紙葉類の繰出不良が発生した場合には、投入部１０に対応する状態表示部８０が赤色に点灯するようになる。また、投入部１０において紙葉類の繰出不良が発生してから所定時間（例えば、２０秒）が経過すると、投入部１０に対応する状態表示部８０の表示態様が赤色の点灯から赤色の点滅に変化するようになる。このような状態表示部８０における表示内容により、操作者は投入部１０において紙葉類の繰出不良が発生したことに気づくことができるようになる。なお、投入部１０において紙葉類の繰出不良が発生したときに、当該投入部１０から紙葉類が抜き取られると、投入部１０に対応する状態表示部８０は消灯するようになる。
【００７２】
また、本実施の形態の有価媒体処理装置１では、１金種の紙幣について２つの集積部（具体的には、第２の集積部４２および第３の集積部４３）を用いてバッチ処理を行うこともできるようになっている。具体的には、第２の集積部４２および第３の集積部４３にそれぞれ千円札を１００枚集積させるようなバッチ処理の設定が行われた場合には、投入部１０に投入された紙葉類が有価媒体処理装置１の機体内に繰り出されて識別部２０により識別されたときに、識別部２０により識別された紙葉類が千円札であるときにはこの千円札は第２の集積部４２または第３の集積部４３に１００枚まで集積され、第２の集積部４２または第３の集積部４３に千円札が１００枚集積されたときに投入部１０から有価媒体処理装置１の機体内への紙幣の繰出動作が停止することなく他方の集積部に千円札が引き続き集積されるようになる。また、識別部２０により識別された紙葉類が千円札以外の金種の紙幣や紙幣以外の紙葉類（例えば、商品券）である場合には、当該紙葉類はリジェクト部としての第１の集積部４１や入金一時保留部としての第４の集積部４４に集積されるようになる。また、本実施の形態では、第２の集積部４２や第３の集積部４３に集積された千円札の枚数が１００枚に達したときには、これらの第２の集積部４２や第３の集積部４３に対応する状態表示部８４、８６が青色に点灯するようになる。このことにより、操作者は第２の集積部４２や第３の集積部４３から千円札の束を筐体２の外部に取り出す必要があることに気づくようになる。そして、操作者が第２の集積部４２や第３の集積部４３から千円札の束を筐体２の外部に取り出すと、これらの第２の集積部４２や第３の集積部４３に対応する状態表示部８４、８６が消灯するようになる。
【００７３】
また、本実施の形態では、第２の集積部４２や第３の集積部４３に集積された千円札の枚数が１００枚に達する前にこれらの第２の集積部４２や第３の集積部４３から千円札の束が取り出された場合には、紙幣が取り出された第２の集積部４２や第３の集積部４３に対応する状態表示部８４、８６が赤色に点滅するようになる。このことにより、操作者は第２の集積部４２や第３の集積部４３から誤って紙幣を取り出してしまったことに気づくようになる。そして、操作者が第２の集積部４２や第３の集積部４３に千円札を戻すと、これらの第２の集積部４２や第３の集積部４３に対応する状態表示部８４、８６が消灯する。
【００７４】
また、本実施の形態の有価媒体処理装置１では、フロント領域の精算所に設置される複数（例えば、２つ）のレジ釣銭機に補充されるべき釣銭準備金をそれぞれ作成するよう２つの集積部（具体的には、第２の集積部４２および第３の集積部４３）を用いてバッチ処理を行うこともできるようになっている。ここで、各レジ釣銭機に補充されるべき釣銭準備金として、複数の金種の紙幣を所定枚数ずつ組み合わせたものが考えられる。具体的には、各レジ釣銭機に補充されるべき釣銭準備金として、五千円札２０枚および千円札５０枚とすることが考えられる。この場合には、投入部１０に投入された紙葉類が有価媒体処理装置１の機体内に繰り出されて識別部２０により識別されたときに、識別部２０により識別された紙葉類が千円札である場合にはこの千円札は第２の集積部４２および第３の集積部４３にそれぞれ５０枚まで集積され、識別部２０により識別された紙葉類が五千円札である場合にはこの五千円札は第２の集積部４２および第３の集積部４３にそれぞれ２０枚まで集積される。また、それ以上の枚数の千円札や五千円札、ならびに千円札や五千円札以外の金種の紙幣や紙幣以外の紙葉類（例えば、商品券）は、リジェクト部としての第１の集積部４１や入金一時保留部としての第４の集積部４４に集積されるようになる。
【００７５】
そして、第２の集積部４２や第３の集積部４３に釣銭準備金としての金種毎の所定の枚数の紙幣（具体的には、例えば五千円札２０枚および千円札５０枚）が集積されたときには、これらの第２の集積部４２や第３の集積部４３に対応する状態表示部８４、８６が青色に点灯するようになる。このことにより、操作者は第２の集積部４２や第３の集積部４３から釣銭準備金としての紙幣の束を筐体２の外部に取り出す必要があることに気づくようになる。そして、操作者が第２の集積部４２や第３の集積部４３から釣銭準備金としての紙幣の束を筐体２の外部に取り出すと、これらの第２の集積部４２や第３の集積部４３に対応する状態表示部８４、８６が消灯するようになる。
【００７６】
また、本実施の形態では、第２の集積部４２や第３の集積部４３に釣銭準備金としての金種毎の所定の枚数の紙幣が集積される前にこれらの第２の集積部４２や第３の集積部４３から紙幣の束が取り出された場合には、紙幣が取り出された第２の集積部４２や第３の集積部４３に対応する状態表示部８４、８６が赤色に点滅するようになる。このことにより、操作者は第２の集積部４２や第３の集積部４３から誤って紙幣の束を取り出してしまったことに気づくようになる。そして、操作者が第２の集積部４２や第３の集積部４３に紙幣を戻すと、これらの第２の集積部４２や第３の集積部４３に対応する状態表示部８４、８６が消灯する。
【００７７】
次に、有価媒体処理装置１においてバッチ処理を行う際に、電磁ロック部によりシャッタ４２ｓや返却扉６がロックされるような運用が行われる場合について述べる。
【００７８】
操作表示部７２の表示画面がバッチ処理の設定画面に切り替えられたときに、図６に示すようなバッチ処理の設定が行われた場合には、すなわち、第２の集積部４２に一万円札を１００枚集積させるとともに第３の集積部４３に千円札を１００枚集積させるようなバッチ処理の設定が行われた場合には、投入部１０に投入された紙葉類が有価媒体処理装置１の機体内に繰り出されて識別部２０により識別されたときに、識別部２０により識別された紙葉類が一万円札であるときにはこの一万円札は第２の集積部４２に１００枚まで集積され、また、識別部２０により識別された紙葉類が千円札であるときにはこの千円札は第３の集積部４３に１００枚まで集積され、それ以外の金種の紙幣や紙幣以外の紙葉類（例えば、商品券）は、リジェクト部としての第１の集積部４１や入金一時保留部としての第４の集積部４４に集積されるようになる。そして、第２の集積部４２や第３の集積部４３（の少なくとも一方）に集積された一万円札や千円札の枚数が１００枚に達したときには、投入部１０から有価媒体処理装置１の機体内への紙葉類の繰出動作が一旦停止され、これ以上第２の集積部４２や第３の集積部４３に一万円札や千円札が送られなくなる。
【００７９】
なお、本実施の形態では、第２の集積部４２や第３の集積部４３に集積された一万円札や千円札の枚数が１００枚に達したときには、集積された紙幣の枚数が１００枚に達した第２の集積部４２や第３の集積部４３のみに対応するシャッタ４２ｓや返却扉６のロックが解除され、これらのシャッタ４２ｓや返却扉６が自動で開かれるようになり、操作者は第２の集積部４２や第３の集積部４３から一万円札や千円札を取り出すことができるようになる。また、この場合でも、集積された紙幣の枚数が１００枚に達した第２の集積部４２や第３の集積部４３に対応する状態表示部８４、８６が青色に点灯するようになる。このことにより、操作者は第２の集積部４２や第３の集積部４３から一万円札や千円札の束を筐体２の外部に取り出す必要があることに気づくようになる。そして、操作者が第２の集積部４２や第３の集積部４３から一万円札や千円札の束を筐体２の外部に取り出した後、紙幣が取り出された第２の集積部４２や第３の集積部４３に対応するシャッタ４２ｓや返却扉６を手動で閉め、第２の集積部４２や第３の集積部４３に紙幣が存在しないことが確認されると、これらのシャッタ４２ｓや返却扉６が電磁ロック部により再びロックされ、操作者は第２の集積部４２や第３の集積部４３にアクセスすることができないようになる。また、操作者が第２の集積部４２や第３の集積部４３から一万円札や千円札の束を筐体２の外部に取り出すと、これらの第２の集積部４２や第３の集積部４３に対応する状態表示部８４、８６が消灯する。その後、投入部１０から有価媒体処理装置１の機体内への紙葉類の繰出動作が再開され、紙幣が取り出された第２の集積部４２や第３の集積部４３に一万円札や千円札が再び送られるようになる。
【００８０】
なお、有価媒体処理装置１においてバッチ処理を行う際に、電磁ロック部によりシャッタ４２ｓや返却扉６がロックされるような運用が行われる場合には、第２の集積部４２や第３の集積部４３に集積される一万円札や千円札が１００枚に達する前にこれらの第２の集積部４２や第３の集積部４３から一万円札や千円札の束が操作者によって誤って取り出されてしまうおそれはない。
【００８１】
また、有価媒体処理装置１においてバッチ処理を行う際に、電磁ロック部によりシャッタ４２ｓや返却扉６がロックされるような運用が行われる場合において、１金種の紙幣について２つの集積部（具体的には、第２の集積部４２および第３の集積部４３）を用いてバッチ処理を行うこともできるようになっている。具体的には、第２の集積部４２および第３の集積部４３にそれぞれ千円札を１００枚集積させるようなバッチ処理の設定が行われた場合には、投入部１０に投入された紙葉類が有価媒体処理装置１の機体内に繰り出されて識別部２０により識別されたときに、識別部２０により識別された紙葉類が千円札であるときにはこの千円札は第２の集積部４２または第３の集積部４３に１００枚まで集積され、第２の集積部４２または第３の集積部４３に千円札が１００枚集積されたときに投入部１０から有価媒体処理装置１の機体内への紙幣の繰出動作が停止することなく他方の集積部に千円札が引き続き集積されるようになる。また、識別部２０により識別された紙葉類が千円札以外の金種の紙幣や紙幣以外の紙葉類（例えば、商品券）である場合には、当該紙葉類はリジェクト部としての第１の集積部４１や入金一時保留部としての第４の集積部４４に集積されるようになる。
【００８２】
また、本実施の形態では、第２の集積部４２や第３の集積部４３に集積された千円札の枚数が１００枚に達したときには、集積された紙幣の枚数が１００枚に達した第２の集積部４２や第３の集積部４３のみに対応するシャッタ４２ｓや返却扉６のロックが解除され、これらのシャッタ４２ｓや返却扉６が自動で開かれるようになり、操作者は第２の集積部４２や第３の集積部４３から千円札の束を取り出すことができるようになる。また、この場合でも、集積された紙幣の枚数が１００枚に達した第２の集積部４２や第３の集積部４３に対応する状態表示部８４、８６が青色に点灯するようになる。このことにより、操作者は第２の集積部４２や第３の集積部４３から千円札の束を筐体２の外部に取り出す必要があることに気づくようになる。そして、操作者が第２の集積部４２や第３の集積部４３から千円札の束を筐体２の外部に取り出すと、これらの第２の集積部４２や第３の集積部４３に対応する状態表示部８４、８６が消灯するようになる。
【００８３】
また、有価媒体処理装置１においてバッチ処理を行う際に、電磁ロック部によりシャッタ４２ｓや返却扉６がロックされるような運用が行われる場合において、フロント領域の精算所に設置される複数（例えば、２つ）のレジ釣銭機に補充されるべき釣銭準備金をそれぞれ作成するよう２つの集積部（具体的には、第２の集積部４２および第３の集積部４３）を用いてバッチ処理を行うこともできるようになっている。例えば、「千円札×５０枚、五千円札×２０枚」と設定された場合には、投入部１０に投入された紙葉類が有価媒体処理装置１の機体内に繰り出されて識別部２０により識別されたときに、識別部２０により識別された紙葉類が千円札である場合にはこの千円札は第２の集積部４２および第３の集積部４３にそれぞれ５０枚まで集積され、識別部２０により識別された紙葉類が五千円札である場合にはこの五千円札は第２の集積部４２および第３の集積部４３にそれぞれ２０枚まで集積される。また、それ以上の枚数の千円札や五千円札、ならびに千円札や五千円札以外の金種の紙幣や紙幣以外の紙葉類（例えば、商品券）は、リジェクト部としての第１の集積部４１や入金一時保留部としての第４の集積部４４に集積されるようになる。
【００８４】
そして、第２の集積部４２や第３の集積部４３に釣銭準備金としての金種毎の所定の枚数の紙幣（具体的には、五千円札２０枚および千円札５０枚）が集積されたときには、釣銭準備金としての金種毎の所定の枚数の紙幣が集積された第２の集積部４２や第３の集積部４３のみに対応するシャッタ４２ｓや返却扉６のロックが解除され、これらのシャッタ４２ｓや返却扉６が自動で開かれるようになり、操作者は第２の集積部４２や第３の集積部４３から釣銭準備金としての紙幣を取り出すことができるようになる。また、この場合でも、釣銭準備金としての金種毎の所定の枚数の紙幣が集積された第２の集積部４２や第３の集積部４３に対応する状態表示部８４、８６が青色に点灯するようになる。このことにより、操作者は第２の集積部４２や第３の集積部４３から釣銭準備金としての紙幣の束を筐体２の外部に取り出す必要があることに気づくようになる。そして、操作者が第２の集積部４２や第３の集積部４３から釣銭準備金としての紙幣の束を筐体２の外部に取り出すと、これらの第２の集積部４２や第３の集積部４３に対応する状態表示部８４、８６が消灯するようになる。
【００８５】
また、本実施の形態では、有価媒体処理装置１においてバッチ処理を行う際に電磁ロック部によりシャッタ４２ｓや返却扉６がロックされるような運用を行うか、あるいは電磁ロック部によりシャッタ４２ｓや返却扉６がロックされないような運用が行うかを操作者が例えば操作表示部７２により設定することができるようになっている。このことにより、バッチ処理の内容に合わせて、電磁ロック部によりシャッタ４２ｓや返却扉６がロックされるような運用を行うか、あるいは電磁ロック部によりシャッタ４２ｓや返却扉６がロックされないような運用が行うかを選択することができるようになる。概して、１金種の紙幣について２つの集積部（具体的には、第２の集積部４２および第３の集積部４３）を用いてバッチ処理を行う場合には、バッチ処理を行う間に投入部１０から有価媒体処理装置１の機体内への紙幣の繰出動作が停止することがないため、電磁ロック部によりシャッタ４２ｓや返却扉６がロックされないような運用が行う方がより迅速にバッチ処理を終了させることができる。一方、複数の金種の紙幣について２つの集積部（具体的には、第２の集積部４２および第３の集積部４３）を用いてバッチ処理を行う場合には、バッチ処理を行う間にある集積部に所定の金種毎の枚数の紙幣が集積されると投入部１０から有価媒体処理装置１の機体内への紙幣の繰出動作が停止するため、電磁ロック部によりシャッタ４２ｓや返却扉６がロックされないような運用が行ってもバッチ処理が終了するまでにかかる時間が長くなる。このため、複数の金種の紙幣について２つの集積部４２、４３を用いてバッチ処理を行う場合には、電磁ロック部によりシャッタ４２ｓや返却扉６がロックされるような運用が行うことにより各集積部４２、４３から誤って紙幣が取り出されてしまうことをより確実に防止することができるようになる。
【００８６】
以上のような構成からなる本実施の形態の有価媒体処理装置１およびこのような有価媒体処理装置１による有価媒体処理方法によれば、記憶部７４は、複数の集積部（例えば、第２の集積部４２および第３の集積部４３）に集積されるべき紙幣等の有価媒体の枚数および種類に係る情報を設定情報として記憶するようになっており、全体制御部７３は、記憶部７４に記憶されている設定情報に基づいて識別部２０により識別された有価媒体を各集積部４１〜４４に振り分けるよう搬送分類機構３０の制御を行うようになっている。このように、本実施の形態の有価媒体処理装置１およびこのような有価媒体処理装置１による有価媒体処理方法では、複数の集積部（例えば、第２の集積部４２および第３の集積部４３）を用いてバッチ処理を行うことができるため、バッチ処理の作業効率を向上させることができる。
【００８７】
また、本実施の形態の有価媒体処理装置１においては、上述したように、第１の集積部４１、第２の集積部４２および第３の集積部４３には、各集積部４１〜４３に対応してＬＥＤ等の状態表示部８２、８４、８６が設けられている。このことにより、操作者は各集積部４１〜４３に対応して設けられた状態表示部８２、８４、８６を見ることによってこれらの集積部４１〜４３における紙葉類の集積状態を確認したり各集積部４１〜４３から紙葉類を誤って取り出した場合にこのことに気づいたりすることができるようになる。なお、本実施の形態の有価媒体処理装置１では、複数の集積部の各々に対応してＬＥＤ等の状態表示部が設ける必要はなく、複数の集積部のうち少なくとも一つの集積部に対して、当該集積部に対応してＬＥＤ等の状態表示部を設けるようにしてもよい。
【００８８】
また、本実施の形態の有価媒体処理装置１においては、上述したように、全体制御部７３は、記憶部７４に記憶されている設定情報における紙幣等の有価媒体の枚数および種類に相当する有価媒体が各集積部４２、４３に集積されると当該集積部４２、４３に対応する状態表示部８４、８６における表示態様を変化させるよう状態表示部８４、８６を制御するようになっている。具体的には、各集積部４２、４３に所定の金種毎の枚数の紙幣が集積されると、この集積部４２、４３に対応する状態表示部８４、８６が消灯状態から青色に点灯するようになる。このことにより、操作者は各集積部４２、４３から紙幣等の有価媒体を筐体２の外部に取り出す必要があることに気づくようになる。
【００８９】
また、本実施の形態の有価媒体処理装置１においては、上述したように、全体制御部７３は、記憶部７４に記憶されている設定情報における紙幣等の有価媒体の枚数および種類に相当する有価媒体が各集積部４２、４３に集積されていない状態で当該集積部４２、４３から有価媒体が取り出されるとこの集積部４２、４３に対応する状態表示部８４、８６における表示態様を変化させるよう状態表示部８４、８６を制御するようになっている。具体的には、各集積部４２、４３に所定の金種毎の枚数の紙幣が集積される前にこれらの集積部４２、４３から紙幣が取り出されると、この集積部４２、４３に対応する状態表示部８４、８６が消灯状態から赤色に点滅するようになる。このことにより、操作者は各集積部４２、４３から誤って紙幣等の有価媒体を取り出してしまったことに気づくようになる。
【００９０】
また、本実施の形態の有価媒体処理装置１においては、上述したように、操作者に対して報知を行うための報知部として操作表示部７２や図示しないスピーカーが設けられており、全体制御部７３は、記憶部７４に記憶されている設定情報における紙幣等の有価媒体の枚数および種類に相当する有価媒体が各集積部４２、４３に集積されていない状態で当該集積部４２、４３から有価媒体が取り出されると操作表示部７２やスピーカー等の報知部により操作者に対して報知を行うよう当該報知部を制御するようになっている。この場合でも、操作者は各集積部４２、４３から誤って紙幣等の有価媒体を取り出してしまったことに気づくようになる。
【００９１】
また、本実施の形態の有価媒体処理装置１においては、上述したように、複数の集積部４１〜４４のうち少なくとも一つの集積部（具体的には、第２の集積部４２および第３の集積部４３）には、当該集積部へのアクセスを規制するため規制部として、第２の集積部４２に設けられたシャッタ４２ｓや第３の集積部４３に設けられた返却扉６を電磁的にロックする電磁ロック部が設けられており、全体制御部７３は、記憶部７４に記憶されている設定情報における紙幣等の有価媒体の枚数および種類に相当する有価媒体が各集積部４２、４３に集積されると電磁ロック部等の規制部による集積部４２、４３へのアクセスの規制を解除するよう規制部を制御するようになっている。具体的には、各集積部４２、４３に集積された紙幣の金種毎の枚数が記憶部７４に記憶されている設定情報における紙幣の金種毎の枚数に達すると、電磁ロック部によるシャッタ４２ｓや返却扉６のロックが解除され、これらのシャッタ４２ｓや返却扉６が開かれることにより操作者は各集積部４２、４３にアクセスすることができるようになる。
【００９２】
また、この場合、全体制御部７３において、規制部により集積部へのアクセスを規制するか否かの設定を行うことができるようになっている。具体的には、有価媒体処理装置１においてバッチ処理を行う際に電磁ロック部によりシャッタ４２ｓや返却扉６がロックされるような運用を行うか、あるいは電磁ロック部によりシャッタ４２ｓや返却扉６がロックされないような運用が行うかを操作者が例えば操作表示部７２により設定することができるようになっている。このことにより、バッチ処理の内容に合わせて、電磁ロック部によりシャッタ４２ｓや返却扉６がロックされるような運用を行うか、あるいは電磁ロック部によりシャッタ４２ｓや返却扉６がロックされないような運用が行うかを選択することができるようになり、バッチ処理の作業性を向上させることができる。
【００９３】
また、全体制御部７３は、規制部によるアクセスの規制が解除された集積部４２、４３へ紙幣等の有価媒体を送らないとともに、規制部によるアクセスの規制が解除された後に当該規制部により再びアクセスが規制された集積部４２、４３へ紙幣等の有価媒体を送ることができるよう、搬送分類機構３０を制御するようになっている。この場合には、集積部４２、４３から本来取り出されるべきではない紙幣等の有価媒体が誤ってこれらの集積部４２、４３から取り出されてしまうことをより確実に防止することができるようになる。
【００９４】
なお、本実施の形態による有価媒体処理装置１やこのような有価媒体処理装置１による有価媒体処理方法は、上述したような態様に限定されることはなく、様々な変更を加えることができる。
【００９５】
例えば、本発明の有価媒体処理装置１では、複数の集積部（具体的には、第２の集積部４２および第３の集積部４３）を用いてバッチ処理を行う際に、紙幣以外の有価媒体（例えば、商品券）を各集積部４２、４３に集積させるようになっていてもよい。また、本発明の有価媒体処理装置１においてバッチ処理を行う際に、紙幣および紙幣以外の有価媒体を混合状態で各集積部４２、４３に集積させるようになっていてもよい。
【００９６】
また、本発明では、有価媒体処理装置１に設けられた複数の集積部（例えば、第２の集積部４２および第３の集積部４３）に集積されるべき紙幣等の有価媒体の枚数および種類に係る情報を設定情報として記憶する記憶部や、記憶部に記憶されている設定情報に基づいて有価媒体処理装置１において識別部２０により識別された有価媒体を各集積部に振り分けるよう搬送分類機構３０の制御を行う制御部がそれぞれ有価媒体処理装置１に設けられることに限定されることはない。本発明では、有価媒体処理装置１と、当該有価媒体処理装置１の通信インターフェース部９６を介して通信可能に接続された外部機器（例えば、上位の管理コンピュータや、親子接続された他の有価媒体処理装置（親機）、等）とから有価媒体処理システムが構成されており、この有価媒体処理システムに上記の記憶部や制御部が設けられるようになっていてもよい。すなわち、有価媒体処理装置１に設けられた複数の集積部に集積されるべき紙幣等の有価媒体の枚数および種類に係る情報を設定情報として記憶する記憶部や、記憶部に記憶されている設定情報に基づいて有価媒体処理装置１において識別部２０により識別された有価媒体を各集積部に振り分けるよう搬送分類機構３０の制御を行う制御部が、有価媒体処理装置１ではなく上記の外部機器（例えば、上位の管理コンピュータや、親子接続された他の有価媒体処理装置（親機）、等）に設けられていてもよい。
【００９７】
また、本発明の有価媒体処理装置１では、スタッカ部としての第２の集積部４２や入金一時保留部としての第３の集積部４３に加えて、リジェクト部としての第１の集積部４１や入金一時保留部としての第４の集積部４４を用いることにより、３つの集積部や４つの集積部に紙幣が所定枚数ずつ仕分けられて送られるようなバッチ処理を行うことができるようになっていてもよい。
【００９８】
また、本発明の有価媒体処理装置１では、複数の金種の紙幣について複数の集積部（具体的には、第２の集積部４２および第３の集積部４３）を用いてバッチ処理を行う際に、ある集積部に所定の金種毎の枚数の紙幣が集積された場合でも投入部１０から有価媒体処理装置１の機体内への紙幣の繰出動作を停止させないようにするために、所定の金種毎の枚数を超える紙幣についてはリジェクト紙幣としてリジェクト部としての第１の集積部４１や入金一時保留部としての第４の集積部４４に送るようにしてもよい。この場合には、投入部１０から有価媒体処理装置１の機体内への紙幣の繰出動作を停止させることなくバッチ処理を行うことができるため、より迅速にバッチ処理を終了させることができるようになる。
【００９９】
また、本発明の有価媒体処理装置１では、第２の集積部４２や第３の集積部４３から紙幣等の有価媒体を取り出すにあたり、シャッタ４２ｓや返却扉６を開閉するのではなく第２の集積部４２や第３の集積部４３自体を筐体２から手前側に取り外すことができるよういになっていてもよい。この場合には、第２の集積部４２や第３の集積部４３を筐体２の内部に固定するための電磁ロック部（図示せず）が各集積部４２、４３に対応して設けられるようになっていてもよい。
【０１００】
また、本発明の有価媒体処理装置１では、レジ釣銭機に補充されるべき釣銭準備金を作成するよう複数の集積部（具体的には、第２の集積部４２および第３の集積部４３）を用いてバッチ処理を行うにあたり、店舗の店番号やレジ釣銭機のレジ番号、あるいは担当者の識別番号毎に、釣銭準備金における紙幣の金種毎の枚数を設定することができるようになっていてもよい。また、朝、昼、夜等の時間帯毎や曜日毎に、釣銭準備金における紙幣の金種毎の枚数を設定することができるようになっていてもよい。
【０１０１】
また、本発明の有価媒体処理装置１では、紙幣等の有価媒体の入金処理や計数処理、分類処理等を行う際に、スタッカ部としての第２の集積部４２や入金一時保留部としての第３の集積部４３に集積された有価媒体を筐体２の外部に返却する場合において、電磁ロックによるシャッタ４２ｓや返却扉６のロックを解除するタイミングを集積部４２、４３毎に設定することができるようになっていてもよい。具体的には、スタッカ部としての第２の集積部４２や入金一時保留部としての第３の集積部４３に集積された有価媒体を筐体２の外部に返却するにあたり、電磁ロックによるシャッタ４２ｓや返却扉６のロックを同時に解除することができるようになっていてもよく、あるいは電磁ロックによるシャッタ４２ｓや返却扉６のロックの解除を集積部４２、４３毎に順番に行うようになっていてもよい。このような動作について以下に詳述する。
【０１０２】
具体的には、本発明の有価媒体処理装置１において紙幣等の有価媒体の入金処理を行う際に、スタッカ部としての第２の集積部４２に商品券を集積させるとともに入金一時保留部としての第３の集積部４３に紙幣を集積させる場合には、投入部１０から有価媒体処理装置１の機体内に有価媒体が全て繰り出されて各集積部４１〜４４に集積された後、操作者によって操作表示部７２により承認入力が行われず代わりに返却入力が行われると（図８におけるＳＴＥＰ１１の「ＮＯ」）、まず第３の集積部４３に対応する返却扉６のロックが解除されてこの第３の集積部４３から紙幣を取り出し可能となり、第３の集積部４３から紙幣が取り出された後に第２の集積部４２に対応するシャッタ４２ｓのロックが解除されてこの第２の集積部４２から商品券を取り出し可能となる。この場合には、各集積部４２、４３から紙幣および商品券を取り出すにあたり、紙幣を取り出すタイミングと商品券を取り出すタイミングとが異なるようになるため紙幣と商品券とが混合してしまうことを防止することができ、また、各集積部４２、４３からの紙幣や商品券の取り忘れを極力防止することができるようになる。
【０１０３】
また、本発明の有価媒体処理装置１において紙幣等の有価媒体の入金処理を行う際に、スタッカ部としての第２の集積部４２に商品券を集積させるとともに入金一時保留部としての第３の集積部４３に紙幣を集積させる場合においてこれらの商品券や紙幣の管理元が異なるときには、投入部１０から有価媒体処理装置１の機体内に有価媒体が全て繰り出されて各集積部４１〜４４に集積された後、操作者によって操作表示部７２により承認入力が行われず代わりに返却入力が行われると（図８におけるＳＴＥＰ１１の「ＮＯ」）、まず第３の集積部４３に対応する返却扉６のロックが解除されてこの第３の集積部４３から紙幣を取り出し可能となり、操作者により返却扉６が閉じられて電磁ロック部によりこの返却扉６が電磁的にロックされた後に第２の集積部４２に対応するシャッタ４２ｓのロックが解除されてこの第２の集積部４２から商品券を取り出し可能となる。この場合には、第２の集積部４２に集積される商品券と、第３の集積部４３に集積される紙幣との管理元が異なるため、無条件にシャッタ４２ｓや返却扉６が開かれると管理元が異なる操作者により各集積部４２、４３から紙幣や商品券が誤って取り出されてしまうおそれがある。このため、第３の集積部４３から紙幣が取り出され、この第３の集積部４３に設けられた返却扉６が閉じられて電磁ロック部によりこの返却扉６が電磁的にロックされた後に、別の管理元の操作者が保有するＩＣカードをＩＣカードリーダ７１によって読み取らせることによりシャッタ４２ｓのロックを解除するようにしている。このことにより、各集積部４２、４３に集積される紙幣や商品券をより厳重に管理することができるようになる。
【０１０４】
また、本発明の有価媒体処理装置１において商品券の入金処理を行う際に、スタッカ部としての第２の集積部４２および入金一時保留部としての第３の集積部４３に商品券を選別して集積させる場合には、投入部１０から有価媒体処理装置１の機体内に商品券が全て繰り出されて各集積部４１〜４４に集積された後、操作者によって操作表示部７２により承認入力が行われず代わりに返却入力が行われると（図８におけるＳＴＥＰ１１の「ＮＯ」）、まず第２の集積部４２に対応するシャッタ４２ｓのロックが解除されてこの第２の集積部４２から商品券が取り出し可能となり、このシャッタ４２ｓのロックが解除されてから所定時間が経過すると第３の集積部４３に対応する返却扉６のロックが解除されてこの第３の集積部４３から紙幣が取り出し可能となる。この場合には、各集積部４２、４３から商品券を取り出すにあたり、各集積部４２、４３には商品券が選別されて集積されているに過ぎないため各集積部４２、４３から取り出された商品券が混合してしまっても特段の問題はないが、第２の集積部４２に対応するシャッタ４２ｓのロックが解除されてから所定時間が経過した後に第３の集積部４３に対応する返却扉６のロックを解除することによって各集積部４２、４３から商品券をテンポ良く取り出すことができるようになる。
【０１０５】
このように、本発明の有価媒体処理装置１において、シャッタ４２ｓや返却扉６のロックを行う電磁ロック部等の規制部による集積部４２、４３へのアクセスの規制を解除するタイミングを集積部４２、４３毎に設定することができるようになっている場合には、各集積部４２、４３からの有価媒体の返却のタイミングを操作者のニーズに合わせて設定することができるようになる。具体的には、規制部による集積部４２、４３へのアクセスの規制を同時に解除することができるようにした場合には、すなわち電磁ロックによるシャッタ４２ｓや返却扉６のロックを同時に解除することができるようにした場合には、各集積部４２、４３から紙幣等の有価媒体を迅速に取り出すことができるようになる。一方、規制部による集積部４２、４３へのアクセスの規制を集積部４２、４３毎に順番に行うようにした場合には、各集積部４２、４３から取り出された有価媒体が混合してしまうことを防止することができるようになる。
【符号の説明】
【０１０６】
１      有価媒体処理装置
２      筐体
４      下部扉
６      返却扉
８      回動部
１０    投入部
２０    識別部
３０    搬送分類機構
３１〜３３  切換機構
３５    搬送ベルト機構
３６    紙葉類制御部
４１    第１の集積部
４２    第２の集積部
４２ｓ  シャッタ
４３    第３の集積部
４４    第４の集積部
５３、５４  紙葉類収納部
６３、６４  ロック機構
６５    ロック制御部
７０    ターミナル
７１    ＩＣカードリーダ
７２    操作表示部
７３    全体制御部
７４    記憶部
７５    印刷部
８０、８２、８４、８６  状態表示部
９５    プリンタ装置
９６    通信インターフェース部
１１０  硬貨投入部
１２０  硬貨識別部
１３０  硬貨搬送分類機構
１３６  硬貨制御部
１４１  第１の硬貨集積部
１４２  第２の硬貨集積部
１４３  第３の硬貨集積部
１４４、１４５  硬貨返却箱
１５２、１５３  硬貨収納部
１６２、１６３、１６５  ロック機構
【図１】
0006587312.tif 000002
【図２】
0006587312.tif 000003
【図３】
0006587312.tif 000004
【図４】
0006587312.tif 000005
【図５】
0006587312.tif 000006
【図６】
0006587312.tif 000007
【図７】
0006587312.tif 000008
【図８】
0006587312.tif 000009